(57)【要約】      （修正有）【課題】チップを収納すると共に、互いに積み重ねてチップが落下することなく穏やかに搬送することができるチップ収納ケースを提供する。【解決手段】チップ収納ケースは、ベース１０と、収容台２０と、嵌合凹部３０と、複数の止め構造４０とを有し、収容台がベースの上面に設けられ、収容台の上面にチップを収容するための複数の収容凹部２１が凹設され、嵌合凹部がベースの底面に凹設され、嵌合凹部の内面に内底面３１を備え、止め構造がそれぞれ嵌合凹部の内底面における収容凹部と対応する箇所に設けられ、少なくとも１つの止め凸部４１を備える。【選択図】図１
0003192505.tif 000002
【実用新案登録請求の範囲】
【請求項１】
ベースと、
前記ベースの上面に設けられ、上面に複数の収容凹部が凹設される収容台と、
前記ベースの底面に凹設され、内面に内底面を備える嵌合凹部と、
それぞれ前記嵌合凹部の内底面における収容凹部と対応する箇所に設けられ、少なくとも１つの止め凸部を備える複数の止め構造とを有することを特徴とするチップ収納ケース。
【請求項２】
前記止め凸部が半球形を呈することを特徴とする請求項１に記載のチップ収納ケース。
【請求項３】
前記止め凸部が長形を呈することを特徴とする請求項１に記載のチップ収納ケース。
【請求項４】
前記止め凸部が円柱状を呈することを特徴とする請求項１に記載のチップ収納ケース。
【請求項５】
前記止め凸部が錐状を呈することを特徴とする請求項１に記載のチップ収納ケース。
【請求項６】
前記ベースの上面における周縁近傍に環状の表示面が形成されることを特徴とする請求項１乃至５の何れか１項に記載のチップ収納ケース。
【請求項７】
前記ベースの１つのコーナーに位置決め角が形成されることを特徴とする請求項１乃至６の何れか１項に記載のチップ収納ケース。
【考案の詳細な説明】
【技術分野】
【０００１】
本考案は、特に複数のチップをケースに収納すると共に、それらのケースを積み重ねて穏やかに搬送することができるチップ収納ケースに関するものである。
【背景技術】
【０００２】
ウェハーをダイシングすると、その構成したチップを専用のケースに収納して次のプロセスへ搬送することが必要である。既存のチップ収納ケースは、ベースを備え、該ベースの上面に収容台が設けられ、該収容台に複数の収容凹部が形成され、それらの収容凹部はそれぞれ、行と列に沿って矩形状に配列され、該ベースの収容台の周りに表示面が形成され、該表示面にチップの寸法またはタイプを表示することができる。また、該ベースの１つのコーナーに位置決め角が設けられ、該ベースの底面に嵌合凹部が形成され、該嵌合凹部の内面に平坦状を呈してもよく、複数のプレートが間隔をおいて交替に配置されてもよいが、該プレートの底端が嵌合凹部の内面から突出しないように設置される。
【０００３】
ウェハーをダイシングして構成したチップを収納する時に、それらのチップをそれぞれ収容凹部に入り込んでチップ収納ケースに配列し、そして、一方のチップ収納ケースの位置決め角が他方のチップ収納ケースの位置決め角と対応するように、一方のチップ収納ケースの収容台が他方のチップ収納ケースの嵌合凹部に嵌合して互いに重ね合わせることができる。その後、チップを収納しているケースを次のプロセスへ搬送することができる。
【考案の概要】
【考案が解決しようとする課題】
【０００４】
しかしながら、既存のチップ収納ケースを重ね合わせる時に、下方のチップ収納ケースの収容台が上方のチップ収納ケースの嵌合凹部との間に隙間を有すると共に、収容台の収容凹部にチップを固定する構造がないことから、チップが収容凹部から脱出して隙間を通って落下する虞があった。
【課題を解決するための手段】
【０００５】
上述した問題を解決するために、本考案に係るチップ収納ケースは、ベースと、収容台と、嵌合凹部と、複数の止め構造とを有し、該収容台がベースの上面に設けられ、該収容台の上面に複数の収容凹部が凹設され、該嵌合凹部がベースの底面に凹設され、該嵌合凹部の内面に内底面を備え、該止め構造がそれぞれ嵌合凹部の内底面における収容凹部と対応する箇所に設けられ、少なくとも１つの止め凸部を備えるものである。
【０００６】
かかるチップ収納ケースにおいて、前記止め凸部が半球形を呈してもよい。
【０００７】
かかるチップ収納ケースにおいて、前記止め凸部が長形を呈してもよい。
【０００８】
かかるチップ収納ケースにおいて、前記止め凸部が円柱状を呈してもよい。
【０００９】
かかるチップ収納ケースにおいて、前記止め凸部が錐状を呈してもよい。
【００１０】
かかるチップ収納ケースにおいて、前記ベースの上面における周縁近傍に環状の表示面が形成されることが好ましい。
【００１１】
かかるチップ収納ケースにおいて、前記ベースの１つのコーナーに位置決め角が形成されることが好ましい。
【考案の効果】
【００１２】
本考案に係るチップ収納ケースを有すれば、ウェハーをダイシングして構成したチップをチップ収納ケースの収容凹部に入り込んで収納する時、上方のチップ収納ケースの嵌合凹部が下方のチップ収納ケースの収容台に嵌合すると共に、上方のチップ収納ケースの止め構造の止め凸部が下方のチップ収納ケースの収納凹部に突出することから、収納凹部に入り込んでいるチップを止まって脱出することを防止できる。
【図面の簡単な説明】
【００１３】
【図１】本考案に係るチップ収納ケースの第一実施例において、２つのケースを分離した状態を示す斜視図である。
【図２】本考案に係るチップ収納ケースの第一実施例において、２つのケースを重ね合わせた状態を示すの斜視図である。
【図３】本考案に係るチップ収納ケースの第一実施例において、上面視の平面図である。
【図４】図３の４-４線の断面図である。
【図５】本考案に係るチップ収納ケースの第一実施例において、２つのケースを重ね合わせた状態を示すの断面図である。
【図６】本考案に係るチップ収納ケースの第二実施例において、２つのケースを重ね合わせた状態を示すの断面図である。
【図７】本考案に係るチップ収納ケースの第三実施例において、２つのケースを重ね合わせた状態を示すの断面図である。
【図８】本考案に係るチップ収納ケースの第四実施例において、２つのケースを重ね合わせた状態を示すの断面図である。
【図９】本考案に係るチップ収納ケースの第五実施例において、２つのケースを重ね合わせた状態を示すの断面図である。
【図１０】本考案に係るチップ収納ケースの第六実施例において、２つのケースを重ね合わせた状態を示すの断面図である。
【考案を実施するための形態】
【００１４】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１５】
図１乃至図４に示すように、本考案に係るチップ収納ケースは、ベース１０と、収容台２０と、嵌合凹部３０と、複数の止め構造４０とを有する。
前記ベース１０は、矩形のブロックであり、四つのコーナーを備え、その内、１つのコーナーに位置決め角１１が形成される。また、該ベース１０は、上面の周縁近傍に環状の表示面１２が形成され、該表示面１２にチップの寸法またはタイプを表示する。
【００１６】
前記収容台２０は、表示面１２の中央に位置するように、ベース１０の上面に凸設される。該収容台２０の上面に複数の収容凹部２１が間隔をおいて形成され、これらの収容凹部２１が行と列に沿って矩形に配列される。
【００１７】
前記嵌合凹部３０は、ベース１０の底面に凹設され、内面に収容台２０と対応する内底面３１が形成される。
【００１８】
前記止め構造４０はそれぞれ、嵌合凹部３０の内底面３１における収容凹部２１と対応する箇所に設けられ、即ち、１つの止め構造４０が１つの収容凹部２１と対応するように設けられる。該止め構造４０は、少なくとも１つの止め凸部４１を含み、該止め凸部４１が嵌合凹部３０の内底面３１から凸設される。さらに、図５乃至図１０に示すように、該止め構造４０は、１つ、２つ、３つの止め凸部４１を含んでもよく、該止め凸部４１は、半球形や、長形、円柱状、錐状を呈してもよい。
【００１９】
図５乃至図１０に示すように、本考案にチップ収納ケースにおいて、ウェハーをダイシングして作成したチップ５０が収容台２０の収容凹部２１に収納することができ、なお、複数のチップ収納ケースがそれぞれ重ね合わせることができるので、大量のチップを同時に搬送することができる。
また、２つのチップ収納ケースを重ね合わせる時に、上方のチップ収納ケースの位置決め角１１が下方のチップ収納ケースの位置決め角１１と対応するように、上方のチップ収納ケースの嵌合凹部３０が下方のチップ収納ケースの収容台２０と嵌合されて重ね合わせる。この時、上方のチップ収納ケースの止め構造４０が下方のチップ収納ケースの収容凹部２１内のチップ５０と接触しないように収容凹部２１に突出することから、チップ収納ケースを搬送してもチップ５０を止め凸部４１に止まれて収容凹部２１から脱出することはない。
【００２０】
本考案に係るチップ収納ケースは、嵌合凹部３０における収容台２０の収容凹部２１と対応する箇所に止め構造４０が設けられることから、複数のチップ収納ケースを重ね合わせると、上方のチップ収納ケースの止め構造４０が下方のチップ収納ケースの収容凹部２１に突出するので、それらのチップ収納ケースを搬送する時に、収容凹部２１の内部に収納しているチップ５０を収容凹部２１から脱出することはない。
【符号の説明】
【００２１】
１０  ベース
１１  位置決め角
１２  表示面
２０  収容台
２１  収容凹部
３０  嵌合凹部
３１  内底面
４０  止め構造
４１  止め凸部
５０  チップ
【図１】
0003192505.tif 000003
【図２】
0003192505.tif 000004
【図３】
0003192505.tif 000005
【図４】
0003192505.tif 000006
【図５】
0003192505.tif 000007
【図６】
0003192505.tif 000008
【図７】
0003192505.tif 000009
【図８】
0003192505.tif 000010
【図９】
0003192505.tif 000011
【図１０】
0003192505.tif 000012